(57)【要約】【課題】一人の作業員で浴槽湯口装置の取付作業が迅速容易にできるようした浴槽湯口装置を提供するものである。【解決手段】浴槽湯口装置において、湯口本体２０のフランジ部２１の中心部２１１に雌ねじ２１０１を設けて、フランジ部２１の中心線と中心線を合致させた嵌合筒２３１１を連設させたパッキン２３のＵ字状の円形環２３１を、フランジ部２１に外嵌した湯口本体２０を、浴槽外壁８１から浴槽壁開口部８００に挿入固定して芯出しし、浴槽内壁８２から湯口本体２０の雌ねじ２１０１に、湯口部１０を芯合わせして螺合できるようにして、一人の作業員で浴槽湯口装置を取り付けできるようにしたものである。【選択図】        図１−１
2008267783.tif 000002
【特許請求の範囲】
【請求項１】
湯口本体２０又は２０Ｄのフランジ部２１又は２１Ｄの内径部又は中心部に雌ねじ２１０１又は２１０１Ｄを設け、内部に給湯管２０１又は２０１Ｄと、戻湯管２０２又は２０２Ｄを設け、フランジ部２１又は２１Ｄを浴槽外壁８１と密着させたのち、浴槽内壁８２から浴槽壁開口部８００を介して、湯口本体２０又は２０Ｄのフランジ部２１又は２１Ｄに設けた雌ねじ２１０１又は２１０１Ｄの中心に合致するように、湯口部１０又は１０Ｄを螺合できるようにした浴槽湯口装置であって、フランジ部２１又は２１ＤにＵ字状の円形環２３１又は２３１Ｂをかぶせ、その一端に、フランジ部２１又は２１Ｄの中心線と中心線を合致させた円筒状の嵌合筒２３１１又は２３１１Ｂを連設させたパッキン２３又は２３Ｂを突出させた湯口本体２０又は２０Ｄを、浴槽外壁８１から浴槽壁開口部８００に挿入固定して芯出ししたのち、浴槽壁開口部８００に芯出しした湯口本体２０又は２０Ｄの雌ねじ２１０１又は２１０１Ｄに、浴槽内壁８２から湯口部１０又は１０Ｄを芯合わせして螺合できるようにしてなり、一人の作業員で、浴槽湯口装置を取りつけることができるようにしたことを特徴とする浴槽湯口装置。
【請求項２】
前記パッキンの円筒状の嵌合筒２３１１に、囲繞した１個又は複数個の小突起２３１２を設けて、浴槽壁開口部８００に挿入したとき芯出しを維持できると共に、抜け止めできるようにして嵌合筒２３１１を補強していることを特徴とする請求項１記載の浴槽湯口装置。
【請求項３】
前記パッキンの円形環２３１の一端に、２個又は２個以上の嵌合片２３１１Ｃを連設して芯出しできるようにして、浴槽壁開口部８００に挿入できるようにしたパッキン２３Ｃを備えたことを特徴とする請求項１記載の浴槽湯口装置。
【請求項４】
前記パッキンの嵌合筒２３１１又は２３１１Ｂ又は嵌合片２３１１Ｃが、浴槽壁８０の厚みに合わせて切断できるように形成されていることを特徴とする請求項１又は３記載の浴槽湯口装置。
【請求項５】
前記湯口本体２０又は２０Ｄのフランジ部２１又は２１Ｄの前面に、芯出しできるようにした円板状張出し部２１１１Ｂ又は円形リング状張出し部２１１１Ｄを連設して、円筒状の嵌合筒２３１１又は２３１１Ｂ又は嵌合片２３１１Ｃを連設させたパッキン２３、２３Ｂ又は２３Ｃをフランジ部２１又は２１Ｄ及び張出し部２１１１Ｂ又は２１１１Ｄに外嵌して、浴槽外壁８１から浴槽壁開口部８００に挿入固定して芯出しさせたのち、浴槽内壁８２から湯口部１０又は１０Ｄを芯合わせして螺合できるようにしたことを特徴とする請求項１、２、３又は４記載の浴槽湯口装置。
【請求項６】
湯口本体２０又は２０Ｄのフランジ部２１又は２１Ｄの内径部又は中心部に雌ねじ２１０１又は２１０１Ｄを設け、内部に給湯管２０１又は２０１Ｄと、戻湯管２０２又は２０２Ｄを設け、フランジ部２１又は２１Ｄを浴槽外壁８１と密着させると共に、浴槽内壁８２から浴槽壁開口部８００を介して、湯口本体２０又は２０Ｄのフランジ部２１又は２１Ｄに設けた雌ねじ２１０１又は２１０１Ｄの中心に合致するように、湯口部１０又は１０Ｄを螺合できるようにした浴槽湯口装置であって、浴槽壁開口部８００に内嵌できるように形成すると共に、フランジ部２１又は２１Ｄの中心線と中心線を合致させたスリーブ２１０Ｅ又は２１０Ｇを前面に突出させた湯口本体２０又は２０Ｄを、浴槽外壁８１から浴槽壁開口部８００に挿入固定して芯出ししたのち、浴槽壁開口部８００に芯出しした湯口本体２０又は２０Ｄの雌ねじ２１０１又は２１０１Ｄに、浴槽内壁８２から湯口部１０又は１０Ｄを芯合わせして螺合できるようにしてなり、一人の作業員で、浴槽湯口装置を取りつけることができるようにしたことを特徴とする浴槽湯口装置。
【請求項７】
前記湯口本体２０又は２０Ｄの前面に、２個又は２個以上の嵌合片２１０Ｆ又は２１０Ｈを連設して芯出しできるようにして、浴槽壁開口部８００に挿入できるようにしたことを特徴とする請求項６記載の浴槽湯口装置。
【請求項８】
前記湯口本体２０又は２０Ｄに立設したスリーブ２１０Ｅ又は２１０Ｇ、又は、嵌合片２１０Ｆ又は２１０Ｈが、浴槽壁８０の厚みに合わせて切断できるように形成されていることを特徴とする請求項６又は７記載の浴槽湯口装置。
【発明の詳細な説明】
【技術分野】
【０００１】
本発明は、作業員一人で取りつけられるようにした浴槽湯口装置に関する。
【背景技術】
【０００２】
従来の浴槽湯口装置は、図１３及び図１４に示すように、湯口本体２０又は２０Ｄと湯口部１０又は１０Ｄとからなり、これらを浴槽８０に取りつけるためには、内部に給湯管２０１又は２０１Ｄ及び戻湯管２０２又は２０２Ｄを内設した湯口本体２０又は２０Ｄのフランジ部２１又は２１Ｄの外縁まわりに、パッキン２３又は２３ＤのＵ字状円形環パッキン２０３又は２０３Ｄ、又は、平フランジパッキンを嵌合して、一人の作業員が浴槽外壁８１から、浴槽壁開口部８００に湯口本体２０又は２０Ｄを芯合わせできるように、パッキン２３又は２３Ｄを密着させるように手で保持しながら、他の作業員が浴槽内壁８２から湯口部１０又は１０Ｄを、湯口本体２０又は２０Ｄにねじ締めして芯合わせするか、図１５に示すように、ひとりじめ棒９０Ｄを中央部に挿着した湯口本体２０又は２０Ｄを、浴槽外壁８１から浴槽壁開口部８００に挿入したのち、作業員が浴槽内壁８２から、湯口部１０又は１０Ｄをひとりじめ棒９０Ｄに嵌入し、ひとりじめ棒９０Ｄを操作して芯合わせし、湯口本体２０又は２０Ｄに湯口部１０又は１０Ｄをねじ締めしていた。
この方法では、芯合わせにかなりの熟練を要すると共に、作業時間が長くかかる欠点があった。
そこで、本発明者は、フランジ部前面に芯出しできるようにした嵌合筒又は嵌合片を連設したパッキンを外嵌した湯口本体を、浴槽外側から浴槽壁開口部にパッキンの嵌合筒又は嵌合片を挿入固定して芯出しし、または、フランジ部前面にスリーブ又は嵌合片を連設した湯口本体を、浴槽外側から浴槽壁開口部にスリーブ又は嵌合片を挿入固定して芯出しし、次いで浴槽内側に移り、同じ作業員が、浴槽内壁に芯出しされた湯口本体に湯口部を芯合わせして螺合し、一人の作業員で、熟練を要することなく、迅速にねじ締め作業できるようにすることに成功した。
【特許文献１】特開平１１−２５７７３１号公報
【特許文献２】特開平１１−２８７５２０号公報
【発明の開示】
【発明が解決しようとする課題】
【０００３】
本発明は、一人の作業員で浴槽湯口装置の取付作業が、迅速容易にできるようにした浴槽湯口装置を提供するものである。
【課題を解決するための手段】
【０００４】
本発明浴槽湯口装置は、上記課題を達成するため、図示するように、請求項１の発明は、湯口本体２０又は２０Ｄのフランジ部２１又は２１Ｄの内径部又は中心部に雌ねじ２１０１又は２１０１Ｄを設け、内部に給湯管２０１又は２０１Ｄと、戻湯管２０２又は２０２Ｄを設け、フランジ部２１又は２１Ｄを浴槽外壁８１と密着させたのち、浴槽内壁８２から浴槽壁開口部８００を介して、湯口本体２０又は２０Ｄのフランジ部２１又は２１Ｄに設けた雌ねじ２１０１又は２１０１Ｄの中心に合致するように、湯口部１０又は１０Ｄを螺合できるようにした浴槽湯口装置であって、フランジ部２１又は２１ＤにＵ字状の円形環２３１又は２３１Ｂをかぶせ、その一端に、フランジ部２１又は２１Ｄの中心線と中心線を合致させた円筒状の嵌合筒２３１１又は２３１１Ｂを連設させたパッキン２３又は２３Ｂを突出させた湯口本体２０又は２０Ｄを、浴槽外壁８１から浴槽壁開口部８００に挿入固定して芯出ししたのち、浴槽壁開口部８００に芯出しした湯口本体２０又は２０Ｄの雌ねじ２１０１又は２１０１Ｄに、湯口部１０又は１０Ｄを芯合わせして螺合できるようにしてなり、一人の作業員で浴槽湯口装置を取りつけることができるようにしたものである。
また、本発明の浴槽湯口装置は、上記課題を達成するため、図示するように、請求項２の発明は、請求項１の発明において、パッキンの円筒状の嵌合筒２３１１に、囲繞した１個又は複数個の小突起２３１２Ｂを設けて、浴槽壁開口部８００に挿入したとき芯出しを維持できると共に、抜け止めできるようにして嵌合筒２３１１を補強しているものである。
また、本発明の浴槽湯口装置は、上記課題を達成するため、図示するように、請求項３の発明は、請求項１の発明において、パッキンの円形環２３１の一端に、２個又は２個以上の嵌合片２３１１Ｃを連設して芯出しできるようにして、浴槽壁開口部８００に挿入できるようにしたパッキン２３Ｃを備えているものである。
また、本発明の浴槽湯口装置は、上記課題を達成するため、図示するように、請求項４の発明は、請求項１又は３の発明において、パッキンの嵌合筒２３１１又は２３１１Ｂ又は嵌合片２３１１Ｃが、浴槽壁８０の厚みに合わせて切断できるように形成されているものである。
また、本発明の浴槽湯口装置は、上記課題を達成するため、図示するように、請求項５の発明は、請求項１、２、３又は４の発明において、前記湯口本体２０又は２０Ｄのフランジ部２１又は２１Ｄの前面に、芯出しできるようにした円板状張出し部２１１１Ｂ又は円形リング状張出し部２１１１Ｄを連設して、円筒状の嵌合筒２３１１又は２３１１Ｂ又は嵌合片２３１１Ｃを連設させたパッキン２３、２３Ｂ又は２３Ｃをフランジ部２１又は２１Ｄ及び張出し部２１１１Ｂ又は２１１１Ｄに外嵌して、浴槽外壁８１から浴槽壁開口部８００に挿入固定して芯出しさせたのち、浴槽内壁８２から湯口部１０又は１０Ｄを芯合わせして螺合できるようにしたものである。
また、本発明の浴槽湯口装置は、上記課題を達成するため、図示するように、請求項６の発明は、湯口本体２０又は２０Ｄのフランジ部２１又は２１Ｄの内径部又は中心部に雌ねじ２１０１又は２１０１Ｄを設け、内部に給湯管２０１又は２０１Ｄと、戻湯管２０２又は２０２Ｄを設け、フランジ部２１又は２１Ｄを浴槽外壁８１と密着させると共に、浴槽内壁８２から浴槽壁開口部８００を介して、湯口本体２０又は２０Ｄのフランジ部２１又は２１Ｄに設けた雌ねじ２１０１又は２１０１Ｄの中心に合致するように、湯口部１０又は１０Ｄを螺合できるようにした浴槽湯口装置であって、浴槽壁開口部８００に内嵌できるように形成すると共に、フランジ部２１又は２１Ｄの中心線と中心線を合致させたスリーブ２１０Ｅ又は２１０Ｇを前面に突出させた湯口本体２０又は２０Ｄを、浴槽外壁８１から浴槽壁開口部８００に挿入固定して芯出ししたのち、浴槽壁開口部８００に芯出しした湯口本体２０又は２０Ｄの雌ねじ２１０１又は２１０１Ｄに、湯口部１０又は１０Ｄを芯合わせして螺合できるようにしてなり、一人の作業員で浴槽湯口装置を取りつけることができるようにしたものである。
また、本発明の浴槽湯口装置は、上記課題を達成するため、図示するように、請求項７の発明は、請求項６の発明において、湯口本体２０又は２０Ｄの前面に、２個又は２個以上の嵌合片２１０Ｆ又は２１０Ｈを連設して芯出しできるようにして、浴槽壁開口部８００に挿入できるようにしたものである。
また、本発明の浴槽湯口装置は、上記課題を達成するため、図示するように、請求項８の発明は、請求項６又は７の発明において、湯口本体２０又は２０Ｄに立設したスリーブ２１０Ｅ又は２１０Ｇ、又は、嵌合片２１０Ｆ又は２１０Ｈが、浴槽壁８０の厚みに合わせて切断できるように形成されているものである。
本発明において、円形環と嵌合筒又は嵌合片を連設したパッキンを使用した湯口本体のフランジ部は、通常のフランジ型のもののほか、給湯管穴と戻湯管穴と中心雌ねじとを設けた円板型のものが含まれる。
さらに、通常のフランジ型には、浴槽壁開口部にパッキンの嵌合筒又は嵌合片と合わせて芯出しするための円形リング状張出し部を設けることができ、また、前記円板型の場合は、浴槽壁開口部にパッキンの嵌合筒又は嵌合片と合わせて芯出しするための円板状張出し部を設けることができる。
本発明において、パッキンの嵌合筒又は嵌合片は、浴槽壁開口部に挿入して湯口本体を芯出ししやすく、抜けにくく、また、浴槽厚みに応じて切断しやすい材質であるゴム・合成樹脂製が好ましい。
また、本発明において、湯口本体に立設したスリーブ又は嵌合片は、浴槽壁開口部に挿入して芯出ししやすく、抜けにくく、また、浴槽厚みに応じて切断しやすい合成樹脂製が好ましい。
【発明の効果】
【０００５】
本発明浴槽湯口装置に使用するパッキンは、浴槽壁開口部に挿入して固定できる嵌合筒又は嵌合片を連設しているので、作業員は一人で、パッキンを装着した湯口本体を、浴槽外側から浴槽壁開口部に挿入固定して芯出しし、浴槽壁開口部に芯出しされた湯口本体に、浴槽内側から湯口部を芯合わせして螺合すればよく、また、その際、浴槽厚みに応じてパッキンの嵌合筒又は嵌合片を切断して挿入して、湯口本体を密着固定できるので、作業は簡単容易かつ迅速にできることになる。
また、本発明浴槽湯口装置は、湯口本体に浴槽壁開口部に挿入して固定できるスリーブ又は嵌合片を連設しているので、作業員は一人で、スリーブ又は嵌合片を設けた湯口本体を、浴槽外側から浴槽壁開口部に挿入固定して芯出しし、浴槽壁開口部に芯出しされた湯口本体に、浴槽内側から湯口部を芯合わせして螺合すればよく、また、その際、予め浴槽厚みに応じてスリーブ又は嵌合片を切断して挿入して、湯口本体を密着固定できるので、作業は簡単容易かつ迅速にできることになる。
【発明を実施するための最良の形態】
【０００６】
本発明実施例１は、図１−１乃至図５に示されている。また、本発明実施例２は、図６に示されている。  また、本発明実施例３は、図７乃至図９に示されている。  さらにまた、本発明実施例４は、図１０乃至図１２に示されている。
【実施例１】
【０００７】
本発明実施例１が図１−１乃至図５に示されている。
本発明実施例の浴槽湯口装置は、継手管５０と、湯口本体２０と、押え金３０と、湯口部１０と、網カバー４０とを備えている。
継手管５０は、図１−１に示すように、たけのこ状に形成された継手胴５１、５２と、つば５０１、５０２と、Ｏリング５０５、５０６を設けたシール管５０３、５０４とからなり、継手胴５１、５２は、給湯配管（図示しない）及び戻湯配管（図示しない）に接続できるように形成されている。
つば５０１、５０２は、継手胴５１、５２の後部に立設されて後述する湯口本体２０の給湯管２０１及び戻湯管２０２の各先端に設けたつば２０１１、２０２２と固定具７１、７２を嵌合することにより管接続できるようにしている。
湯口本体２０は、図１−１及び図１−２に示すように、フランジ部２１と、フランジ部２１に内設した給湯管２０１と戻湯管２０２と、フランジ部２１外縁に外嵌したパッキン２３、２３Ｂ又は２３Ｃとからなる。
フランジ部２１は、円板型で円板２１０の中心部２１１に雌ねじ２１０１を備え、雌ねじ２１０１の左右対称の位置に、給湯管２０１及び戻湯管２０２への連通孔２１０２、２１０３が形成されている。
給湯管２０１の先端には つば２０１１が立設され、戻湯管２０２の先端には つば２０２１が立設されている。
湯口本体２０は、図５に示すように、円板型のフランジ部２１の円板２１０の前面に後述のパッキン２３Ｂ又は２３Ｃの嵌合筒２３１１Ｂ又は嵌合片２３１１Ｃが肉薄の場合、浴槽壁開口部８００に挿入固定して芯出しを維持できるようにした円板状張出し部２１１１Ｂを設けたものでも好い。
パッキン２３又は２３Ｂは、図２及び図３に示すように、Ｕ字状円形環２３１又は２３１Ｂと、嵌合筒２３１１又は２３１１Ｂとを備えている。
Ｕ字状円形環２３１又は２３１Ｂは、断面コの字形の円環状に形成されて、フランジ部２１外縁に外嵌されている。
嵌合筒２３１１又は２３１１Ｂは、Ｕ字状円形環２３１又は２３１Ｂの一方の内周縁に円筒状に連設して突出している。  この嵌合筒２３１１又は２３１１Ｂは、浴槽壁の厚みに合わせて切断できるように形成されている。
また、パッキン２３の嵌合筒２３１１は、図２に示すように、芯出しを維持できると共に、抜け止めできるように嵌合筒２３１１を補強するため、嵌合筒２３１１の外周に断面板状で環状に形成された１個又は複数個の小突起２３１２を設けられている。
パッキン２３の２３１０は、水洩れ防止の突条である。  また、２３０は、水圧テストの空所である。
また、図４に示すように、嵌合筒の代わりに、円弧状の複数個の嵌合片２３１１Ｃを設けたパッキン２３Ｃでも好い。この嵌合片２３１１Ｃも浴槽壁の厚みに合わせて切断できる。
押え金３０は、図１−２に示すように、長板３１と締付ねじ３０１とからなり、長板３１は、断面コ字状で長方形に形成され、中心部に締付ねじ３０１の貫入する孔３００１を設けている。
締付ねじ３０１は、ヘッド３０１１中心に湯口部１０のねじ１０３が螺着できる螺孔３０１２を設けている。
湯口部１０は、図１−１及び図１−３に示すように、箱体１００と給湯内管１０１と戻湯内管１０２と仕切室１１、１２、１３と開閉弁１５１Ａ、１５２Ａと給湯口１４とからなる。
給湯内管１０１と戻湯内管１０２は、図１−３に示すように、円筒形箱体１００の中央部から水平に平行に並べて連設され、それぞれ先端にＯリング１０１１、１０２１が装着されている。
開閉弁１５１Ａ、１５２Ａは、図１−３に示すように、２個の平板状弁から形成され、箱体１００の仕切室１１の下端に設けた開口１１１及び仕切室１３の下端に設けた開口１３１の一方を開き、他方を閉じることができるように、軸１５１１Ａ、１５２１Ａで箱体１００に軸着している。
網カバー４０は、図１−１及び図５に示すように、ステンレス板４１をトレイ状に成型して、前面にメッシュ窓４２を打ち抜いたもので、湯口部１０の円筒形箱体１００に外嵌して係合できるように形成されている。
従って、浴槽湯口装置を取り付ける時は、図１−１に示すように、湯口本体２０の給湯管２０１の先端に、継手胴５１に給湯配管（図示しない）を接続した継手管５０のシール管５０３を嵌入し、また、戻湯管２０２の先端に、継手胴５２に戻湯配管（図示しない）を接続した継手管５０のシール管５０４を嵌入し、継手管５０のつば５０１と給湯管２０１のつば２０１１に固定具７１を嵌着して固定し、また、継手管５０のつば５０２と戻湯管２０２のつば２０２１に固定具７２を嵌着して固定したのち、湯口本体２０のフランジ部２１の外縁にパッキン２３、２３Ｂ又は２３Ｃの円形環２３１、２３１Ｂ又は２３１Ｃを外嵌し、浴槽壁開口部８００の中心線と中心線を合致させるように、パッキン２３、２３Ｂの嵌合筒２３１１又は２３１１Ｂ、又は、パッキン２３Ｃの嵌合片２３１１Ｃを浴槽外壁８１から浴槽壁開口部８００に挿入固定し、湯口本体２０を芯出しする。
嵌合筒２３１１又は２３１１Ｂ又は嵌合片２３１１Ｃは、浴槽厚みに応じてを切断して挿入することができる。
パッキン２３、２３Ｂ又は２３Ｃを介して湯口本体２０を芯出しして、浴槽外側の作業を終了したのち、浴槽内側に入り、浴槽内壁８２から締付ねじ３０１を介して押え金３０で湯口本体２０を螺合し、湯口部１０の給湯内管１０１及び戻湯内管１０２を、湯口本体２０の給湯管２０１及び戻湯管２０２の中に、それぞれ挿入し芯合わせしてねじ１０３でねじ締めし、さらに、網カバー４０を、湯口部１０の箱体１００に係合することにより、浴槽湯口装置の浴槽への取付け作業は、作業員１名で終了することになる。
【実施例２】
【０００８】
本発明の実施例２が図６に示されている。
本発明実施例の浴槽湯口装置は、湯口本体２０Ｄと湯口部１０Ｄとからなる。
湯口本体２０Ｄは、前端に円環型のフランジ部２１Ｄを連設し、フランジ部２１Ｄの内径部に雌ねじ２１０１Ｄを設け、後端に給湯管２０１Ｄ及び戻湯管２０２Ｄを連設している。
湯口本体２０Ｄは、パッキン２３Ｂ又は２３Ｃの嵌合筒２３１１Ｂ又は嵌合片２３１１Ｃが肉薄の場合、浴槽壁開口部８００に挿入固定して芯出しを維持できるようにした円形リング状張出し部２１１１Ｄをフランジ部２１Ｄの前面に設けたものでも好い。
湯口部１０Ｄは、前面に給湯口１０１Ｄと戻湯口１０２Ｄを備え、後面側中心に雄ねじ１０３Ｄが連設されている。
湯口本体２０Ｄのフランジ部２１Ｄの外縁に、パッキン２３、２３Ｂ又は２３Ｃが外嵌されている。
パッキン２３、２３Ｂ又は２３Ｃの詳細は実施例１と同じであるので詳細説明は省略する。
湯口本体２０Ｄの雌ねじ２１０１Ｄに湯口部１０Ｄの雄ねじ１０３Ｄを螺合して、湯口本体２０Ｄの給湯通路２０１１Ｄと戻湯通路２０２１Ｄを湯口部１０Ｄに連結して、湯口部１０Ｄを介して浴槽８０の給湯と戻湯とを行うものである。
従って、浴槽湯口装置を取りつけるときは、図６に示すように、湯口本体２０Ｄの給湯管２０１Ｄの先端に給湯配管（図示しない）を接続し、戻湯管２０２Ｄに戻湯配管（図示しない）を接続したのち、湯口本体２０Ｄのフランジ部２１Ｄの外縁にパッキン２３、２３Ｂ又は２３Ｃの円形環２３１、２３１Ｂ又は２３１Ｃを外嵌し、浴槽壁開口部８００の中心線と中心線を合致させるように、嵌合筒２３１１又は２３１１Ｂ、又は、嵌合片２３１１Ｃを浴槽外壁８１から浴槽壁開口部８００に挿入固定して、場合により浴槽厚みに合わして切断して挿入して、湯口本体２０Ｄを芯出しして、浴槽外側の作業を終了したのち、浴槽内側に入り、浴槽内壁８２から湯口部１０Ｄの雄ねじ１０３Ｄを、パッキン２０４Ｄを介して湯口本体２０Ｄの雌ねじ２１０１Ｄに芯合わせして螺合すれば、浴槽湯口装置の浴槽への取付け作業は、作業員１名で終了する。
【実施例３】
【０００９】
本発明の実施例３が図７乃至図９に示されている。
本発明実施例の浴槽湯口装置は、湯口本体２０と、湯口部１０と、押え金３０と、継手管５０と、網カバー４０とからなる。
湯口部１０と、押え金３０と、継手管５０と、網カバー４０の構成は、本発明実施例１と同じであるので、詳細説明は省略する。
湯口本体２０は、前端にフランジ部２１を連設し、フランジ部２１の中心部２１１に雌ねじ２１０１を設け、後端の左右対称の位置に給湯管２０１及び戻湯管２０２を連設し、前端フランジ部２１の前面に、浴槽壁開口部８００に内嵌できるようにしたスリーブ２１０Ｅ又は複数個の嵌合片２１０Ｆが連設され、さらに、給湯管２０１及び戻湯管２０２への連通孔２１０２、２１０３が設けられ、フランジ部２１にパッキン２０３を外嵌している。  パッキン２０３は、Ｕ字状円形環に形成されたもの、又は、平フランジパッキンでもよい。
従って、浴槽湯口装置を取り付ける時は、図７に示すように、湯口本体２０の給湯管２０１の先端に、継手胴５１に給湯配管（図示しない）を接続した継手管５０のシール管５０３を嵌入し、また、戻湯管２０２の先端に、継手胴５２に戻湯配管（図示しない）を接続した継手管５０のシール管５０４を嵌入し、継手管５０のつば５０１と給湯管２０１のつば２０１１に固定具７１を嵌着して固定し、また、継手管５０のつば５０２と戻湯管２０２のつば２０２１に固定具７２を嵌着して固定したのち、湯口本体２０のフランジ部２１の外縁にパッキン２０３を外嵌し、浴槽壁開口部８００の中心線と中心線を合致させるように、スリーブ２１０Ｅ又は嵌合片２１０Ｆを、浴槽外壁８１から浴槽壁開口部８００に挿入固定し湯口本体２０を芯出しする。
スリーブ２１０Ｅ又は嵌合片２１０Ｆは、浴槽厚みに応じて切断して挿入することができる。
スリーブ２１０Ｅ又は嵌合片２１０Ｆを介して湯口本体２０を芯出しして、浴槽外側の作業を終了したのち、浴槽内側に入り、浴槽内壁８２から締付ねじ３０１を介して押え金３０で湯口本体２０を螺合し、湯口部１０の給湯内管１０１及び戻湯内管１０２を、湯口本体２０の給湯管２０１及び戻湯管２０２の中に、それぞれ挿入し芯合わせしてねじ１０３でねじ締めし、さらに、網カバー４０を、湯口部１０の箱体１００に係合することにより、浴槽湯口装置の浴槽への取付け作業は、作業員１名で終了することになる。
【実施例４】
【００１０】
本発明の実施例４が図１０乃至図１２に示されている。
本発明実施例の浴槽湯口装置は、湯口本体２０Ｄと湯口部１０Ｄとからなる。
湯口本体２０Ｄは、前端にフランジ部２１Ｄを連設し、フランジ部２１Ｄの内径部に雌ねじ２１０１Ｄを設け、後端に給湯管２０１Ｄ及び戻湯管２０２Ｄを連設し、前端フランジ部２１Ｄの前面に、浴槽壁開口部８００に内嵌できるようにしたスリーブ２１０Ｇ又は嵌合片２１０Ｈが連設され、さらに、フランジ部２１Ｄの外縁にパッキン２０３Ｄを外嵌している。
パッキン２０３Ｄは、Ｕ字状円形環に形成されたもの、又は、平フランジパッキンでもよい。
湯口部１０Ｄは、前面に給湯口１０１Ｄと戻湯口１０２Ｄを備え、後面側中心に雄ねじ１０３Ｄが連設されている。
湯口本体２０Ｄの雌ねじ２１０１Ｄに湯口部１０Ｄの雄ねじ１０３Ｄを螺合して、湯口本体２０Ｄの給湯通路２０１１Ｄと戻湯通路２０２１Ｄを湯口部１０Ｄに連結して、湯口部１０Ｄを介して浴槽８０の給湯と戻湯とを行うものである。
従って、浴槽湯口装置を取りつけるときは、図１１に示すように、湯口本体２０Ｄの給湯管２０１Ｄの先端に給湯配管（図示しない）を接続し、戻湯管２０２Ｄに戻湯配管（図示しない）を接続したのち、湯口本体２０Ｄのフランジ部２１Ｄの外縁にパッキン２０３Ｄを外嵌し、浴槽壁開口部８００の中心線と中心線を合致させるように、スリーブ２１０Ｇ又は嵌合片２１０Ｈを、浴槽外壁８１から浴槽壁開口部８００に挿入固定して、場合により浴槽厚みに合わして切断して挿入して、湯口本体２０Ｄを芯出しして、浴槽外側の作業を終了したのち、浴槽内側に入り、浴槽内壁８２から湯口部１０Ｄの雄ねじ１０３Ｄを、パッキン２０４Ｄを介して湯口本体２０Ｄの雌ねじ２１０１Ｄに芯合わせして螺合すれば、浴槽湯口装置の浴槽への取付け作業は、作業員１名で終了する。
【産業上の利用可能性】
【００１１】
本発明の浴槽湯口装置は、構造簡単で量産でき安価に製作できる。
【図面の簡単な説明】
【００１２】
【図１−１】本発明実施例の浴槽湯口装置の使用状態説明図である。
【図１−２】図１−１の湯口本体の説明図である。
【図１−３】図１−１の湯口部の説明図である。
【図２】図１−１に使用するパッキンの断面図である。
【図３】図１−１において使用する別のパッキンの断面図である。
【図４】図１−１において使用するさらに別のパッキンの説明図である。
【図５】図１−１において別の湯口本体を使用した場合の使用状態説明図である。
【図６】別の本発明実施例の浴槽湯口装置の使用状態説明図である。
【図７】さらに別の本発明実施例の浴槽湯口装置の使用状態説明図である。
【図８】図７の湯口本体の説明図である。
【図９】本発明実施例の別の湯口本体の説明図である。
【図１０】さらに別の本発明実施例の湯口本体と湯口部の説明図である。
【図１１】図１０の浴槽湯口装置の使用状態説明図である。
【図１２】図１０のさらに別の湯口本体の説明図である。
【図１３】従来例の浴槽湯口装置の断面図である。
【図１４】別の従来例の浴槽湯口装置の断面図である。
【図１５】従来例のひとりじめ棒の使用状態説明図である。
【符号の説明】
【００１３】
１０、１０Ｄ                  湯口部
２０、２０Ｄ                  湯口本体
２１、２１Ｄ                  フランジ部
２０１、２０１Ｄ              給湯管
２０２、２０２Ｄ              戻湯管
２１０Ｅ、２１０Ｇ            スリーブ
２１０Ｆ、２１０Ｈ            嵌合片
２１０１、２１０１Ｄ          雌ねじ
２１１１Ｂ、２１１１Ｄ        張出し部
２３、２３Ｂ、２３Ｃ          パッキン
２３１、２３１Ｂ、２３１Ｃ    パッキンの円形環
２３１１、２３１１Ｂ          パッキンの嵌合筒
２３１１Ｃ                    パッキンの嵌合片
２３１２                      パッキンの小突起
８０                          浴槽
８１                          浴槽外壁
８２                          浴槽内壁
８００                        浴槽壁開口部
【図１−１】
2008267783.tif 000003
【図１−２】
2008267783.tif 000004
【図１−３】
2008267783.tif 000005
【図２】
2008267783.tif 000006
【図３】
2008267783.tif 000007
【図４】
2008267783.tif 000008
【図５】
2008267783.tif 000009
【図６】
2008267783.tif 000010
【図７】
2008267783.tif 000011
【図８】
2008267783.tif 000012
【図９】
2008267783.tif 000013
【図１０】
2008267783.tif 000014
【図１１】
2008267783.tif 000015
【図１２】
2008267783.tif 000016
【図１３】
2008267783.tif 000017
【図１４】
2008267783.tif 000018
【図１５】
2008267783.tif 000019